(57)【要約】【課題】従来のトイレ付車椅子の排便時悪臭防臭機能について、防臭効果に期待できない問題点があつた。これは、排せつ用パイプと排せつ物タンクが直接連結され、開放状態にあるためである。また、分離型の排せつ物タンクについて、排せつ用パイプから、排せつ物タンクを取外す場合、汚物が顔面等に飛び散る問題点があつた。これは、排せつ物タンクが排せつ用パイプの下部に設置されており、顔面上で取外すため汚物が顔面等に飛び散る危険性のある構造的問題である。【解決手段】トイレ付車椅子において、トイレ槽の排せつ物を排せつポンプの動作により、瞬時に排せつタンクに移動するため、防臭効果を維持することができる。また、排せつタンクおいて、排せつタンクを着脱式として着脱式排せつタンクの上部にタンク排せつ用排せつパイプの連結用ジョイントを設けることで、排せつタンク連結部で手を汚さず安全で清潔に、容易に取付および取外しができる。【選択図】図２
2008043629.tif 000002
【特許請求の範囲】
【請求項１】
車椅子にトイレ槽を設置し、トイレ槽の底部は、配管パイプ形態として、
排せつ物を排せつタンクへ瞬時に移動処理を行うことで、いつでもどこでも、状況に応じ、
他人に迷惑をかけることなく、不浄にならないように排便が出来る構造とした配管パイプ
形態の手段を備えたことを特徴とするトイレ付車椅子。
【請求項２】
車椅子に設置した便座に尻洗浄装置を設置し、排便後の尻洗浄が出来る手段
を備えたことを特徴とするトイレ付車椅子。
【請求項３】
請求項２の尻洗浄用の水を保管するための水槽を車椅子に設置する手段を
備えたことを特徴とするトイレ付車椅子。
【請求項４】
請求項２の尻洗浄を行った後の尻乾燥として、便座に乾燥機能を設置することで、尻乾燥装置の手段を備えたことを特徴とするトイレ付車椅子。
【請求項５】
請求項１のトイレ槽の底部は、２重構造とし、その間に排せつ物感知用
センサー等の設置の手段を備えたことを特徴とするトイレ付車椅子。
【請求項６】
請求項１の配管パイプには、排せつ物を排出するための排せつポンプを設置して、排せつ物感知用のセンサーが作動すると瞬時に排せつポンプが動作する手段を備えたことを特徴とするトイレ付車椅子。
【請求項７】
請求項６の排せつポンプには、車椅子に設置した排せつタンクを連結設置し、
トイレ槽の排せつ物を排せつポンプの動作により、瞬時に排せつタンクに移動し、排せつタンクに溜めることの出来る着脱式排せつタンク設置の手段を備えたことを特徴とするトイレ付車椅子。
【請求項８】
請求項７の着脱式排せつタンクの上部には、タンク排せつ用排せつパイプの
連結用ジョイントを設け、排せつタンク連結部で手を汚さず清潔に、容易に取付および
取外しの出来るジョイント設置の手段を備えたことを特徴とするトイレ付車椅子。
【請求項９】
請求項８の着脱式排せつタンクより、排せつパイプを取外したときに、連結部に開口部が現われ、悪臭等が発生することになる。
開口部を防ぎ、悪臭防止を考慮した開口部密閉の上蓋装着の手段を備えたことを特徴とするトイレ付車椅子。
【請求項１０】
請求項７の着脱式排せつタンクに溜まった排せつ物は、公衆トイレ等に
排せつ処理することになるが、排せつタンクを運んで排せつ物を公衆等トイレに手を汚さ
ず清潔に、容易に廃棄処理出来る排せつ処理の手段を備えたことを特徴とするトイレ付
車椅子。
【請求項１１】
請求項１のトイレ槽にはトイレ槽に飛散汚れ防止ため、トイレ槽の内面を
ガードするための、ガードペーパ装着を考慮した、トイレ槽汚れ防止用ガードペーパ装着付の手段を備えたことを特徴とする車椅子用トイレ。
【請求項１２】
請求項１１のガードペーパは、トイレ使用後には防臭・衛生上ガード
ペーパの都度交換をお奨めするため、交換用保管場所が必要となる。
汚れ防止交換用ガードペーパを考慮したガードペーパ保管庫の手段を備えたことを特徴とする車椅子用トイレ。
【請求項１３】
請求項１のトイレ付車椅子には、車椅子に座ったときに、座った人の下半身が人目に晒す事の無いように、車椅子の一方の肘掛アーム下端部にカーテン式下半身
目隠しカバーを設置し、もう一方の肘掛アーム側下端部には、必要に応じて、下半身目隠しカバーが容易に取付取外しの出来るスプリング式クリップまたはマジックテープ（登録商標）等の
ホルダー設置の手段を備えたことを特徴とするトイレ付車椅子。
【請求項１４】
請求項１の車椅子肘掛アームの下部空間部分に請求項２および請求項４の機能動作を指令するための、操作リモコン装置を設置し、尻洗浄装置および尻乾燥装置や強制排せつポンプ動作をコントロールする操作リモコン装置の手段を備えたことを特徴とするトイレ付車椅子。
【請求項１５】
請求項２から請求項６を動作させるには、電源を必要とする。
車椅子は、あらゆる場所への移動を必要とするため、電源部は車椅子と一体である必要がある。
電源はソーラーバッテリーも取り込んだバッテリーとし、排せつ物感知用のセンサー、
排せつポンプ、尻洗浄装置、尻乾燥装置等を作動させる車椅子本体に設置した
バッテリー組込み手段を備えたことを特徴とするトイレ付車椅子。
【発明の詳細な説明】
【技術分野】
【０００１】
本発明は、車椅子にトイレ槽を設置し、いつでもどこでも、状況に応じ、他人に迷惑をかけることなく、不浄にならないように、手を汚さず清潔に排便することの出来るトイレ付車椅子に関するものである。
【背景技術】
【０００２】
一般的に移動が可能でトイレ機能を有したものとしては、簡易トイレ付折りたたみ介助車やポータブルトイレ等がある。
【０００３】
この従来例について、トイレ機能を施したものがある（例えば特許文献１、特許文献２参照。）
以下図により、従来例を説明する。
【特許文献１】特開２００６−６１６５１号公報（第２項、図６）
【特許文献２】特開２００３−３１９９７５号公報（第３項、図１）
【特許文献３】特開２００２−２００００４
【０００４】
まず、図５、図６は従来例のトイレ機能の設置されている車椅子の全体構成を示す図である。
図５に示すように、車椅子使用者が排便をもようしたとき、その様子を覆い隠すためのカーテンレール１０１およびカーテン１０２が設置されている。
また、汚物入れ１０３および収納ＢＯＸ１０４設置されており、収納ＢＯＸ１０４には、カーテン１０２や汚物入れ等を収納するためのＢＯＸである。
尚、１０５は便座を示す。
【０００５】
図６は排便を感知するセンサーおよび洗浄・防臭・乾燥機能が設置されている車椅子の全体構成を示す図である。
便器１０６が設置され、局部カバー１０７が便座部に設置されており、洗浄用水タンク１０８および洗浄用パイプ１０９がされている。
また便器１０６部より排せつ用パイプ１１０および排せつ物タンク１１１が設置され、防臭用パイプ１１２、動力室１１３、電源（バッテリー）１１４を設置されていた。
【発明の開示】
【発明が解決しようとする課題】
【０００６】
上記のように、従来のトイレ機能の設置されている車椅子には、カーテンレールとカーテンを設置する機能付きのものがあった。
また、排便時の悪臭を防止するための防臭機能として、排便を瞬時に便器から排泄用パイプを通して排泄物タンクに吸い込む機能付きのものがあった。
【０００７】
ところが、図５に示す排泄状態を覆い隠すプライバシーを守るためとするカーテン設置について、実際カーテンレールやカーテンを設置するためには、介助者を必要とし、車椅子使用者自身では設置困難である問題点があつた。
図６に示す排便を感知するセンサーおよび洗浄・防臭・乾燥機能設置について、実際便器より排せつ用パイプと排せつ物タンクが直接連結され、開放状態にあるため、防臭効果が期待できない問題点があつた。
また、分離型の排せつ物タンクについても、排せつ物タンクが排せつ用パイプの下部に設置されており、排せつ用パイプから、排せつ物タンクを取り外す場合、顔の上部で取外すことになり、汚物が顔面等に飛び散る危険性のある安全衛生上にも問題点があつた。
【０００８】
従って、従来例のトイレ機能付車椅子においては、車椅子使用者がカーテンレールやカーテンの設置を容易に瞬時に出来ない難点があり、また、防臭効果にも構造的難点があって、排泄物タンクを取外す場合においても、安全衛生上大変危険な問題点があつた。
【０００９】
このように、従来例のトイレ機能付車椅子は、使い慣れない人にとって、容易に瞬時に使用を果たせぬ車椅子であった。
【００１０】
さらに、使い慣れた人でも排せつ物タンクを取外すときに、汚物が顔面に飛び散る可能性のある衛生上危険性がある問題点の車椅子であった。
【００１１】
本発明の目的は、車椅子使用者が排せつ時に自分自身で下半身目隠しカバーを容易に装備をすることで、排せつ状態を覆い隠しプライバシーが守れるトイレ付車椅子を提供することにある。
【００１２】
また、本発明の目的は、排せつ物をトイレ槽より排せつポンプにより、瞬時に排せつタンクに移動処理することで、防臭効果を図ったトイレ付車椅子を提供することにある。
【００１３】
さらに、本発明の目的は、排せつタンクを着脱式とするため、排せつパイプに着脱式のジョイントを設置して、排せつタンク連結部で手を汚さず清潔に、容易に排せつタンクを取付および取外しを行い、排せつタンクに密閉カバーと持ち運び用取手を装着して、排せつ物を手を汚さず清潔に、近くの公衆トイレ等に排せつ処理することを図ったトイレ付車椅子を提供することにある。
【課題を解決するための手段】
【００１４】
請求項１に対する発明は、車椅子にトイレ槽を設置し、トイレ槽の底部は、配管パイプ形態として、排せつ物を排せつタンクへ瞬時に移動処理を行うことで、いつでもどこでも、状況に応じ、他人に迷惑をかけることなく、不浄にならないように排便が出来る構造とした配管パイプ形態の手段を備えたことを特徴とするものである。
【００１５】
請求項２に対する発明は、車椅子に設置した便座に尻洗浄装置を設置し、排便後の尻洗浄が出来る手段を備えたことを特徴とするものである。
【００１６】
請求項３に対する発明は、請求項２の尻洗浄用の水を保管するための水槽を車椅子に設置する手段を備えたことを特徴とするものである。
【００１７】
請求項４に対する発明は、請求項２の尻洗浄を行った後の尻乾燥として、便座に乾燥機能を設置することで、尻乾燥装置の手段を備えたことを特徴とするものである。
【００１８】
請求項５に対する発明は、請求項１のトイレ槽の底部は、２重構造とし、その間に排せつ物感知用センサー等の設置の手段を備えたことを特徴とするものである。
【００１９】
請求項６に対する発明は、請求項１の配管パイプには、排せつ物を排出するための排せつポンプを設置して、排せつ物感知用のセンサーが作動すると瞬時に排せつポンプが動作する手段を備えたことを特徴とするものである。
【００２０】
請求項７に対する発明は、請求項６の排せつポンプには、車椅子に設置した排せつタンクを連結し、トイレ槽の排せつ物を排せつポンプの動作により、瞬時に排せつタンクに移動し、排せつ物を溜めることの出来る着脱式排せつタンク設置の手段を備えたことを特徴とするものである。
【００２１】
請求項８に対する発明は、請求項７の着脱式排せつタンクの上部には、タンク排せつ用排せつパイプの連結用ジョイントを設け、排せつタンク連結部で手を汚さず清潔に、容易に取付および取外しの出来るジョイント設置の手段を備えたことを特徴とするものである。
【００２２】
請求項９に対する発明は、請求項８の着脱式排せつタンクより、排せつパイプを取外したときに、連結部に開口部が現われ、悪臭等が発生することになる。
開口部を防ぎ、悪臭防止を考慮した開口部密閉の上蓋設置の手段を備えたことを特徴とするものである。
【００２３】
請求項１０に対する発明は、請求項７の着脱式排せつタンクに溜まった排せつ物を公衆トイレ等に着脱式排せつタンクを運んで排せつ物を公衆トイレ等に手を汚さず清潔に、容易に廃棄処理出来る排せつ処理の手段を備えたことを特徴とするものである。
【００２４】
請求項１１に対する発明は、請求項１のトイレ槽にはトイレ槽汚れ防止ため、トイレ槽の内面をガードするための、ガードペーパ装着を考慮した、トイレ槽汚れ防止用ガードペーパ装着付の手段を備えたことを特徴とするものである。
【００２５】
請求項１２に対する発明は、請求項１１のガードペーパは、トイレ使用後には防臭・衛生上ガードペーパの都度交換をお奨めするため、交換用保管場所が必要となる。
汚れ防止交換用ガードペーパを考慮したガードペーパ保管庫の手段を備えたことを特徴とするものである。
【００２６】
請求項１３に対する発明は、請求項１のトイレ付車椅子には、車椅子に座ったときに、座った人の下半身が人目に晒す事の無いように、車椅子の一方の肘掛アーム下端部にカーテン式下半身目隠しカバーを設置し、もう一方の肘掛アーム側下端部には、必要に応じて、下半身目隠しカバーが容易に取付取外しの出来るスプリング式クリップまたはマジックテープ（登録商標）等によるホルダー設置の手段を備えたことを特徴とするものである。
【００２７】
請求項１４に対する発明は、請求項１の車椅子肘掛アームの下部空間部分に請求項２および請求項４の機能動作を指令するための、操作リモコン装置を設置し、尻洗浄装置および尻乾燥装置や強制排せつポンプ動作をコントロールする操作リモコン装置の手段を備えたことを特徴とするものである。
【００２８】
請求項１５に対する発明は、請求項２から請求項６を動作させるには、電源を必要とする。
車椅子は、あらゆる場所への移動を必要とするため、電源部は車椅子と一体である必要がある。
電源はソーラーバッテリーも取り込んだバッテリーとし、排せつ物感知用のセンサー、排せつポンプ、尻洗浄装置、尻乾燥装置等を作動させる車椅子本体に設置したバッテリー組込みの手段を備えたことを特徴とするものである。
【発明の効果】
【００２９】
本発明によれば、トイレ槽が設置された車椅子において、車椅子使用者が排せつ時に自分自身で下半身目隠しカバーを容易に装備をすることで、排せつ状態を覆い隠しプライバシーが守れる便利なトイレ付車椅子が利用出来る。
【００３０】
また、本発明によれば、排せつ物をトイレ槽より排泄ポンプにより、瞬時に着脱式排せつタンクに移動処理することで、防臭効果を図った便利なトイレ付車椅子が利用出来る。
【００３１】
さらに、本発明によれば、排せつタンクを着脱式とするため、排せつパイプに着脱式のジョイントを設置して、着脱式排せつタンク連結部で手を汚さず清潔に、容易に排せつタンクを取付および取外しを行い、着脱式排せつタンクに密閉カバーと持ち運び用取手を装着して、排せつ物を手を汚さず清潔に、近くの公衆トイレ等に排せつ処理することを図った便利なトイレ付車椅子が利用出来る。
【発明を実施するための最良の形態】
【００３２】
以下、本発明の実施形態を図により説明する。
【００３３】
（第１実施形態）
本発明の第１実施形態は、車椅子にトイレ槽を設置し、トイレ槽の底部は、配管パイプ形態として、排せつ物を着脱式排せつタンクへ瞬時に移動処理を行うことで、いつでもどこでも、状況に応じ、他人に迷惑をかけることなく、不浄にならないように排便が出来る構造とした配管パイプ形態の手段を備えたものである。
【００３４】
この第１実施形態の構成を、図１および図２に示す。
【００３５】
図１は、車椅子にトイレ槽が設置される、外観状態で表すトイレ付車椅子の主要構成を示すものである。
また、図２は、トイレ付車椅子に設置される内部の主要用品を断面状で表した主要構成を示すものである。
【００３６】
図１および図２に示すように、図１では、車椅子１には便座蓋２、便座３、トイレ槽４、排せつポンプ５、タンク収納ケース６、ケース蓋７、トイレ槽および排せつポンプやタンク収納ケース等を設置するための設置台８、ガードペーパー保管庫９、カーテンレール１０、カーテンレールに設置された下半身目隠しカバーを固定するためのホルダー１１、尻洗浄等を行うために必要とするリモコン操作装置１２、リモコン操作装置をコントロールする制御装置１３、制御装置に電源を供給する電源装置１４が設置されている。
また、本図１では、外観状態を四方より示すため、（正面図）図１−１、
左側面図（Ｘ矢視）図１−２、右側面図（Ｙ矢視）図１−３、（平面図）図１−４、背面図（Ｚ矢視）図１−５の各矢視図で構成されている。
【００３７】
図２では、図１を断面状で表されたもので着脱式排せつタンク２１、排せつホース２２、排せつ物感知センサー２３、取外しホース設置台２４、ホース設置台支え２５、水槽２６、洗浄水パイプ２７、洗浄・乾燥ノズル２８、トイレ槽汚れ防止用のガードペーパー２９が設置されている。
また、本図２でも図１同様に平面図２−１、（Ａ−Ａ）矢視図２−２、（Ｂ−Ｂ）矢視図２−３、（Ｃ−Ｃ）矢視図２−４、(Ｄ−Ｄ)矢視図２−５、（Ｅ−Ｅ）矢視図２−６の各矢視図で構成されている。
【００３８】
以上のように、本実施形態においては、図１および図２示すトイレ槽の底部を配管パイプ形態として、排せつ物を着脱式排泄タンクへ瞬時に移動処理を行う工夫をしている。
【００３９】
（第２実施形態）
次に、本発明の第２実施形態について説明する。
【００４０】
上述の第１実施形態においては、トイレ槽の底部を配管パイプ形態としているのに対して、この第２実施形態においては、車椅子に設置した便座に尻洗浄装置を設置し、排便後の尻洗浄が出来る手段を備えたものである。
【００４１】
この第２実施形態の構成を、図２に示す。
【００４２】
図２は、トイレ付車椅子に設置される用品装置等の設置状態を内部構成で示すものである。
【００４３】
図２に示すように車椅子１には、便座３、トイレ槽４、排せつポンプ５、着脱式排せつタンク２１、排せつホース２２、排せつ物感知センサー２３、取外しホース設置台２４、ホース設置台支え２５、水槽２６、洗浄水パイプ２７、洗浄・乾燥ノズル２８、トイレ槽汚れ防止用のガードペーパー２９が設置されている。
【００４４】
以上のように、本実施形態においては、図２に示す便座３に尻洗浄装置の洗浄・乾燥ノズル２８を装備して、尻洗浄が出来る工夫をしている。
【００４５】
（第３実施形態）
次に、本発明の第３実施形態について説明する。
【００４６】
上述の第１実施形態、または第２実施形態においては、車椅子にトイレ槽を設置し、トイレ槽の底部は、配管パイプ形態として、排せつ物を着脱式排せつタンクへ瞬時に移動処理を行うことで、いつでもどこでも、状況に応じ、他人に迷惑をかけることなく、不浄にならないように排便が出来る構造とした配管パイプ形態の手段備えものであり、また車椅子に設置した便座に尻洗浄装置を装備し、排便後の尻洗浄が出来る手段を備えてあるのに対して、この第３実施形態においては、尻洗浄用の水を保管するための水槽を車椅子に設置する手段を備えたものである。
【００４７】
この第３実施形態の構成を、図２に示す。
【００４８】
図２は、トイレ付車椅子に設置される内部の主要用品を断面状で表した主要構成を示すものである。
【００４９】
図２に示すように、車椅子１には、便座３、トイレ槽４、排せつポンプ５、着脱式排せつタンク２１、排せつホース２２、排せつ物感知センサー２３、取外しホース設置台２４、ホース設置台支え２５、水槽２６、洗浄水パイプ２７、洗浄・乾燥ノズル２８、トイレ槽汚れ防止用のガードペーパー２９が設置されている。
【００５０】
前記記載の通り、図２においては、尻洗浄用の水を保管するための水槽を車椅子に設置する手段を備えている。
【００５１】
以上のように、本実施形態においては、図２に示す車椅子１の便座３に尻洗浄装置の洗浄・乾燥ノズル２８を設置して尻洗浄が出来る手段を備えており、尻洗浄用に必要とする水を保管する水槽２６の設置する手段の工夫をしている。
【００５２】
（第４実施形態）
次に、本発明の第４実施形態について説明する。
【００５３】
本実施形態は、トイレ槽の設置されている車椅子において、車椅子の便座に乾燥機能を設置することで、尻乾燥装置の手段を備えたものである。
【００５４】
図２に示すように、車椅子１の便座３に尻洗浄装置の洗浄・乾燥ノズル２８が設置されている。
【００５５】
以上のように、本実施形態においては、図２に示す車椅子１の便座３に尻洗浄装置の洗浄・乾燥ノズル２８を設置して尻洗浄が出来る手段の工夫をしている。
【００５６】
（第５実施形態）
次に、本発明の第５実施形態について説明する。
【００５７】
本実施形態は、トイレ槽の設置されている車椅子において、トイレ槽の底部は、２重構造とし、その間に排せつ物感知用センサー等の設置の手段を備えたものである。
【００５８】
図２に示すように、車椅子１のトイレ槽４の底部を２重構造とし、その間に排せつ物感知用センサー２３が設置されている。
【００５９】
以上のように、本実施形態においては、図２に示す車椅子１のトイレ槽４の底部を２重構造とし、その間に排せつ物感知用センサー２３を設置して排せつ物を瞬時に感知出来る手段の工夫をしている。
【００６０】
（第６実施形態）
次に、本発明の第６実施形態について説明する。
【００６１】
本実施形態は、トイレ槽の設置されている車椅子において、トイレ槽底部の配管パイプには、排せつ物を排出するための排せつポンプを設置して、排せつ物感知用のセンサーが作動すると瞬時に排せつポンプが動作する手段を備えたものである。
【００６２】
図２に示すように、車椅子１のトイレ槽４の底部を２重構造とし、その間に排せつ物感知用センサー２３が設置されており、トイレ槽底部の配管パイプに排せつポンプ５が設置されている。
【００６３】
以上のように、本実施形態においては、図２に示す車椅子１のトイレ槽４の底部に設置された排せつ物感知用センサー２３のセンサー感知により、排せつポンプ５が瞬時に作動する手段の工夫をしている。
【００６４】
（第７実施形態）
次に、本発明の第７実施形態について説明する。
【００６５】
本実施形態は、トイレ槽の設置されている車椅子において、排せつ物を排出するための排せつポンプを着脱式排せつタンクに連結設置し、トイレ槽の排せつ物を排せつポンプの動作により、排せつ物を瞬時に着脱式排せつタンクに移動し、排せつタンクに溜めることの出来る着脱式排せつタンク装着の手段を備えたものである。
【００６６】
この第７実施形態の構成を、図２および図３に示す。
【００６７】
上述の図２に示すように、車椅子１のトイレ槽４の底部を２重構造とし、その間に排せつ物感知用センサー２３が設置されており、トイレ槽底部の配管パイプの排せつポンプ５には、排せつホース２２を連結設置して、着脱式排せつタンク２１を設置した主要構成を示すものである。
また、図３は着脱式排せつタンク２１の全体の主要構成を示すものである。
【００６８】
図２および図３に示すように、車椅子１のトイレ槽４の底部を２重構造とし、その間に排せつ物感知用センサー２３が設置されており、トイレ槽底部の配管パイプの排せつポンプ５には排せつホース２２が連結設置され、着脱式排泄タンク２１が設置されている。
【００６９】
以上のように、本実施形態においては、図２示す車椅子１のトイレ槽４の底部を２重構造とし、その間に排せつ物感知用センサー２３が設置されており、トイレ槽底部の配管パイプの排せつポンプ５および排せつホース２２が連結設置されており、図２および図３に示す着脱式排泄タンク２１が設置され、瞬時に排せつ物を着脱式排せつタンクに溜めることの出来る工夫をしている。
【００７０】
（第８実施形態）
次に、本発明の第８実施形態について説明する。
【００７１】
本実施形態は、トイレ槽の設置されている車椅子において、排せつ物を排出するための排せつポンプを車椅子に設置して、着脱式排せつタンクを連結設置している。
トイレ槽の排せつ物を排せつポンプの動作により、排せつ物は瞬時に着脱式排せつタンクに移動して、排せつ物を溜めることの出来る着脱式排せつタンクで、着脱式排せつタンクの上部には、タンク排せつ用排泄パイプの連結用ジョイントを設け、着脱式排せつタンク連結部で手を汚さず清潔に、容易に取付および取外しの出来るジョイント設置の手段を備えたものである。
【００７２】
この第８実施形態の構成を、図２および図３に示す。
【００７３】
上述の図２に示すように、車椅子１のトイレ槽４の底部を２重構造とし、その間に排せつ物感知用センサー２３が設置されており、トイレ槽底部の配管パイプの排せつポンプ５には、排せつホース２２を連結設置し、着脱式排せつタンク２１を設置して、着脱式排せつタンクの上部には、排せつホース２２を容易に取付および取外しの出来るホースジョイント３０を設置している。
また、ホースジョイント３０を取外したときの排せつホース２２の仮置き場所として取外しホース設置台２４が設置され、取外しホース設置台２４を固定するための、ホース設置台支え２５を設置した主要構成を示すものである。
更に、図３は排せつタンク２１の着脱式排せつタンク全体の主要構成を示すものである。
【００７４】
図２および図３に示すように、車椅子１のトイレ槽４の底部を２重構造とし、その間に排せつ物感知用センサー２３が設置されており、トイレ槽底部の配管パイプの排せつポンプ５には排せつホース２２が連結設置され、着脱式排せつタンク２１が設置されて、着脱式排せつタンクの上部には、排せつホース２２を着脱式排せつタンクから容易に取付および取外しの出来るホースジョイント３０が設置されている。
【００７５】
以上のように、本実施形態においては、図２および図３に示すように、車椅子１のトイレ槽４の底部を２重構造とし、その間に排せつ物感知用センサー２３が設置され、トイレ槽底部の配管パイプには排せつポンプ５の排せつホース２２が連結されて、着脱式排せつタンク２１が設置されている。
着脱式排せつタンクの上部には、排せつホース２２を着脱式排せつタンクから容易に取付および取外しの出来るホースジョイント３０が設置され、排せつホース２２を容易に取付および取外しの出来る工夫をしている。
また、ホースジョイント３０を取外したときの排せつホース２２の仮置き場所として取外しホース設置台２４が設置され、取外しホース設置台２４を固定するための、ホース設置台支え２５が設置されており、排せつホース２２の仮置の出来る工夫をしている。
【００７６】
（第９実施形態）
次に、本発明の第９実施形態について説明する。
【００７７】
本実施形態は、トイレ槽の設置されている車椅子において、排せつ物を排出するために設置された排せつポンプに着脱式排せつタンクを連結設置し、トイレ槽の排せつ物を排泄ポンプの動作により、排せつ物を瞬時に着脱式排せつタンクに移動し、排せつ物を溜めることの出来る着脱式排せつタンクで、上部の連結用ジョイントを外し、排せつパイプを取外したときに、連結部に開口部が現われて、悪臭等が発生することになる。
その開口部を防ぐための、開口部密閉構造とした上蓋設置の手段を備えたものである。
【００７８】
この第９実施形態の構成を、図３に示す。
【００７９】
上述の図３に示すように、着脱式排せつタンク２１には排せつホース２２が連結設置され、排せつホース２２を容易に取付および取外しの出来るホースジョイント３０が設置されている。
排せつタンク２１より排せつホース２２を取外したときの開口部を密閉するための上蓋３１が設置されている排泄タンク２１における着脱式排せつタンク全体の主要構成を示すものである。
【００８０】
図３に示すように、着脱式排せつタンク２１に連結設置した排せつホース２２を、ホースジョイント３０で着脱式排せつタンク２１より取外したときの悪臭を防ぐ、開口部密閉の悪臭防止を考慮した開口部密閉用の上蓋３１が設置されている。
また、上蓋３１はスプリングヒンジ３３によって着脱式排せつタンク２１に設置されており、開口部密閉時には、蓋閉めスプリングキャッチャー３９によって密閉固定される。
上蓋３１を開く場合には、蓋開放ツマミ３８を引っ張ることによって上蓋３１を開くことの出来る構成として設置されている。
【００８１】
以上のように、本実施形態においては、図３に示すように、着脱式排せつタンク２１に連結設置した排せつホース２２を、ホースジョイント３０で着脱式排せつタンク２１より取外したときの悪臭を防ぐ、開口部密閉の悪臭防止を考慮した開口部密閉用の上蓋３１が設置されている。
上蓋３１はスプリングヒンジ３３によって着脱式排せつタンク２１に設置されており、開口部密閉時には、蓋閉めスプリングキャッチャー３９によって密閉固定される。
上蓋３１を開く場合には、蓋開放ツマミ３８を引っ張ることによって上蓋３１を開くことの出来る工夫をしている。
【００８２】
（第１０実施形態）
次に、本発明の第１０実施形態について説明する。
【００８３】
本実施形態は、トイレ槽の設置されている車椅子において、着脱式排せつタンクに溜まった排せつ物を公衆トイレ等に着脱式排せつタンクを運んで排せつ物を公衆トイレ等に手を汚さず清潔に、容易に廃棄処理出来る排泄処理の手段を備えたものである。
【００８４】
この第１０実施形態の構成を、図３に示す。
【００８５】
上述の図３に示すように、着脱式排せつタンクに溜まった排せつ物を公衆トイレ等に着脱式排せつタンクを運んで排せつ物を公衆等トイレに手を汚さず清潔に、容易に廃棄処理出来る排泄処理の主要構成を示すものである。
【００８６】
上述の図３に示すように、着脱式排せつタンク２１にはスプリングヒンジ３３によって着脱式排せつタンク２１の下端に底蓋３２が設置されており、開口部の密閉時は、蓋閉めスプリングキャッチャー３９によって密閉固定される構成である。
着脱式排せつタンク２１の下端には、排出弁４０が設置されており、通常は排出弁密閉スプリング４１によって、排出弁４０が密閉され排せつ物が着脱式排せつタンク２１内に収納されている。
底蓋３２を開く場合は、蓋開放ツマミ３８を引っ張ることによって底蓋３２がスプリングヒンジ３３のスプリングによって開放される。
底蓋３２には、流出防止パッキン４３が設置され排せつ物の流出を防止する。
着脱式排せつタンク２１の排せつ物を公衆トイレ等に廃棄処理する場合、吊下げ取っ手３７を片手で持ちながら、着脱式排せつタンク２１に設置された排出弁開放取っ手３６を引っ張り上げることにより、排出ワイヤー３４が持ち上がり排出弁が開くことで、排せつ物が着脱式排せつタンク２１内より放出される。
着脱式排せつタンク２１の下端には、排せつ物の飛散を防止する飛散防止パイプ４４が設置されている。
着脱式排せつタンクに溜まった排泄物を公衆トイレ等に着脱式排泄タンクを運んで排せつ物を公衆トイレ等に手を汚さず清潔に、容易に廃棄処理出来る構成となる。
【００８７】
以上のように、本実施形態においては、図３に示すように、着脱式排せつタンク２１の排せつ物を公衆トイレ等に廃棄処理する場合、吊下げ取っ手３７を片手で持ちながら、着脱式排せつタンク２１に設置された排出弁開放取っ手３６を引っ張り上げることにより、排出ワイヤー３４が持ち上がり、排出弁が開くことで排せつ物が着脱式排せつタンク２１内より放出される。
着脱着脱式排せつタンク２１の下端には、排せつ物の飛散を防止する飛散防止パイプ４４が設置されている。
着脱式排せつタンクに溜まった排せつ物を公衆トイレ等に着脱式排せつタンクを運んで排せつ物を公衆等トイレに手を汚さず清潔に、容易に廃棄処理出来る工夫をしている。
【００８８】
（第１１実施形態）
次に、本発明の第１１実施形態について説明する。
【００８９】
本実施形態は、トイレ槽の設置されている車椅子において、トイレ槽にはトイレ槽汚れ防止用として、トイレ槽の内面をガードするための、ガードペーパ装着を考慮した、トイレ槽汚れ防止用ガードペーパ装着付の手段を備えたものである。
【００９０】
この第１１実施形態の構成を、図２に示す。
【００９１】
図２に示すように、トイレ槽４内面の汚れ防止用として、トイレ槽内面をガードするためにガードペーパ２９が装着されている。
【００９２】
上述の図２に示すように、トイレ槽４内面の汚れ防止用として、トイレ槽内面をガードするためにガードペーパ２９を装着し、トイレ槽汚れ防止の出来る工夫をしている。
【００９３】
（第１２実施形態）
次に、本発明の第１２実施形態について説明する。
【００９４】
本実施形態は、トイレ槽の設置されている車椅子において、トイレ使用後には防臭・衛生上ガードペーパの都度交換をお奨めするため、交換用保管場所が必要となる。
汚れ防止交換用ガードペーパを考慮したガードペーパ保管庫の手段を備えたものである。
【００９５】
この第１２実施形態の構成を、図１に示す。
【００９６】
上述の図１に示すように、車椅子１には図２で示すトイレ槽４内面の汚れ防止ガードペーパ２９を保管するための汚れ防止交換用のガードペーパ保管庫９が設置されている。
【００９７】
上述の図１に示すように、車椅子１には図２で示すトイレ槽４内面の汚れ防止ガードペーパ２９を保管するための汚れ防止交換用のガードペーパ保管庫９を設置の工夫をしている。
【００９８】
（第１３実施形態）
次に、本発明の第１３実施形態について説明する。
【００９９】
本実施形態は、トイレ槽の設置されている車椅子において、車椅子に座ったときに、座った人の下半身が人目に晒す事の無いように、車椅子の一方の肘掛アーム下端部にカーテン式下半身目隠しカバーを設置し、もう一方の肘掛アーム側下端部には、必要に応じて、下半身目隠しカバーが容易に取り外しの出来るスプリング式クリップまたはマジックテープ（登録商標）等のホルダー設置の手段を備えたものである
【０１００】
この第１３実施形態の構成を、図１に示す。
【０１０１】
上述の図１に示すように、車椅子１にはカーテンレール１０、カーテンレールに設置された下半身目隠しカバーを固定するためのホルダー１１が設置されている。
（カーテンレールに設置する下半身目隠しカバーは図示せず。）
【０１０２】
上述の図１に示すように、トイレ付車椅子には、車椅子に座ったときに、座った人の下半身が人目に晒す事の無いように、車椅子の一方の肘掛アーム下端部にカーテン式下半身目隠しカバーを設置し、もう一方の肘掛アーム側下端部には、必要に応じて、下半身目隠しカバーが容易に取り外しの出来るスプリング式クリップまたはマジックテープ（登録商標）等によるホルダー設置の工夫をしている。
【０１０３】
（第１４実施形態）
次に、本発明の第１４実施形態について説明する。
【０１０４】
本実施形態は、トイレ槽の設置されている車椅子において、車椅子肘掛アームの下部空間部分に請求項２および請求項４の機能動作を指令するための、操作リモコン装置を設置し、尻洗浄装置および尻乾燥装置や強制排せつポンプ動作をコントロールする操作リモコン装置の手段を備えたものである。
【０１０５】
この第１４実施形態の構成を、図１および図４に示す。
【０１０６】
上述の図１に示すように、車椅子１の車椅子肘掛アームの下端部にリモコン操作装置１２が設置されている。
【０１０７】
上述の図１に示すように、車椅子肘掛アームの下端部にリモコン操作装置１２を設置し、図４に示すように、尻洗浄装置および尻乾燥装置や強制排せつポンプ動作をコントロールする操作リモコン装置設置の工夫をしている。
【０１０８】
（第１５実施形態）
次に、本発明の第１５実施形態について説明する。
【０１０９】
本実施形態は、トイレ槽の設置されている車椅子において、排せつ物感知用のセンサー、排せつポンプ、尻洗浄装置、尻乾燥装置等を動作させる電源として、ソーラーバッテリー等も取り込んだバッテリー組込みの手段を備えたものである。
【０１１０】
この第１５実施形態の構成を、図１に示す。
【０１１１】
上述の図１に示すように、車椅子１には尻洗浄等を行うために必要とするリモコン操作装置１２、リモコン操作装置をコントロールする制御装置１３、制御装置に電源を供給する電源装置１４が設置されている。
【０１１２】
上述の図１に示すように、尻洗浄装置および尻乾燥装置や強制排せつポンプ動作をコントロールする操作リモコン装置１２を動作させるコントロールする制御装置１３および電源装置１４設置の工夫をしている。
【産業上の利用可能性】
【０１１３】
本発明によれば、トイレ付車椅子は車椅子にトイレ槽を設置し、いつでもどこでも、状況に応じ、他人に迷惑をかけることなく、不浄にならないように、排便することの出来るトイレ付車椅子を提供することができる。
【０１１４】
また、本発明によれば、トイレ付車椅子は、一般の健常者においても各家庭や自動車等に万が一のときの準備をして置く事で、大規模地震等の災害が発生したときの家屋の倒壊やドライブ中の道路の渋滞等により、突然のトイレ使用に不自由な状況に遭遇したときに、いつでもどこでも、手を汚さず清潔に使用することの出来るトイレ付車椅子を提供することができる。
【図面の簡単な説明】
【０１１５】
【図１】本発明の第１、２、７、８、１２〜１５実施形態におけるトイレ付車椅子の外観構成図。図１−１（正面図）図１−２（Ｘ矢視）図１−３（Ｙ矢視）図１−４（平面図）図１−５（Ｚ矢視）
【図２】本発明の第２〜８、１１実施形態におけるトイレ付車椅子の断面構成図。図２−１（平面図）図２−２（Ａ−Ａ矢視）図２−３（Ｂ−Ｂ矢視）図２−４（Ｃ−Ｃ矢視）図２−５（Ｄ−Ｄ矢視）図２−６（Ｅ−Ｅ矢視）
【図３】本発明の第７〜１０実施形態におけるトイレ付車椅子の着脱式排せつタンクの構成図。図３−１（正面図上蓋開放）図３−２（左側面図）図３−３（右側面図）図３−４（平面図）図３−５（正面図上蓋密閉）図３−６（正面図底蓋開放）図３−７（側面図底蓋開放）
【図４】本発明の第１４実施形態におけるトイレ付車椅子用リモコン操作装置の構成図。
【図５】従来例の簡易トイレ付介助車の構成図。
【図６】従来例の排便感知するセンサー・防臭・乾燥機能付トイレ付車椅子の構成図。
【符号の説明】
【０１１６】
１．  １・・・車椅子
２．  ２・・・便座蓋
３．  ３・・・便座
４．  ４・・・トイレ槽
５．  ５・・・排せつポンプ
６．  ６・・・タンク収納ケース
７．  ７・・・ケース蓋
８．  ８・・・トイレ槽、排せつポンプ、タンク収納ケース等設置の設置台
９．  ９・・・ガードペーパー保管庫
１０．１０・・・カーテンレール
１１．１１・・・下半身目隠しカバーホルダー
１２．１２・・・リモコン操作装置
１３．１３・・・制御装置
１４．１４・・・電源装置
２１．２１・・・着脱式排せつタンク
２２．２２・・・排せつホース
２３．２３・・・排せつ物感知センサー
２４．２４・・・取外しホース設置台
２５．２５・・・ホース設置台支え
２６．２６・・・水槽
２７．２７・・・洗浄水パイプ
２８．２８・・・洗浄・乾燥ノズル
２９．２９・・・ガードペーパ
３０．３０・・・ホースジョイント
３１．３１・・・上蓋
３２．３２・・・底蓋
３３．３３・・・スプリングヒンジ
３４．３４・・・排出ワイヤー
３５．３５・・・ワイヤーガード
３６．３６・・・排出弁開放取っ手
３７．３７・・・吊下げ取っ手
３８．３８・・・蓋開放ツマミ
３９．３９・・・蓋閉めスプリングキャッチャー
４０．４０・・・排出弁
４１．４１・・・排出弁密閉スプリング
４２．４２・・・ガイドローラー
４３．４３・・・流出防止パッキン
４４．４４・・・飛散防止パイプ
【図１】
2008043629.tif 000003
【図２】
2008043629.tif 000004
【図３】
2008043629.tif 000005
【図４】
2008043629.tif 000006
【図５】
2008043629.tif 000007
【図６】
2008043629.tif 000008